(57)【特許請求の範囲】
【請求項１】
閉塞された矩形状の底部の周縁に沿って左右方向に互いに対向して起立する左右の側板と前後方向に互いに対向する前後の側板とによって物品が収納される四角筒状の胴部が形成され、前側板の上縁に折目線を介して連設された第１天フラップと後側板の上縁に折目線を介して連設された第２天フラップとを互いに内方に水平に折り曲げ、前記左側板の上縁に折目線を介して連設された天蓋板を水平に折り曲げて胴部の上部を閉塞する包装箱において、
前記天蓋板と前記左側板との境界の折目線は破断可能な破断折目線とされると共に、前記前側板と前記第１天フラップとの境界の折目線は破断可能な破断折目線とされ、
前記前側板は、その両側縁から夫々所定距離を存して両側縁に沿って該前側板の上縁から下方に向かって延びる一対の縦折目線と、両縦折目線の略中央部に位置して該前側板の上縁から下方に向かって延びる縦破断線と、該縦破断線の下端からその左右方向に延びて両縦折目線の下端に至る横破断線とを備え、
前記第２天フラップは、該後側板の上縁から所定距離を存して該上縁に沿って左右方向に延びる横折目線を備え、
前記天蓋板及び前記第１天フラップを夫々前記破断折目線に沿って切除した後、
縦破断線及び横破断線に沿って破断して前側板の一部を観音開き状に遊離させることにより前側板の一部を物品を露出可能に開放すると共に、前側板から遊離した一対の遊離片を前記縦折目線を介して内方に鋭角に折り曲げ、各遊離片の先端部を夫々左右の側板の内面に連結して、開放された前側板の両側に縦方向に延びる一対の三角筒状の支柱部を形成し、
前記第２天フラップの後側板側の一部を水平に維持すると共に横折目線を介して前記第２天フラップの先端側を下方に鋭角に折り曲げ、第２天フラップの先端部を後側板の内面に連結して、内方に張り出し且つ後側板の上縁に沿って延びる張出部を形成することを特徴とする包装箱。
【請求項２】
前記前側板は、前記縦破断線と各縦折目線との間において各縦折目線に平行する線上に設けられた一対の他の縦折目線と、各他の縦折目線の折り曲げに伴って横方向に突出する第１突起を形成する略コ字形の切込みとを備え、
前記左右の側板は、前記第１突起を係止して各遊離片の先端部を連結する第１切れ目を備え、
前記第２天フラップは、その先端縁と前記横折目線との間において該横折目線に平行する線上に設けられた他の横折目線と、該他の横折目線の折り曲げに伴って下方に突出する第２突起を形成する略コ字形の切込みとを備え、
前記後側板は、前記第２突起を係止して各遊離片の先端部を連結する第２切れ目を備えることを特徴とする請求項１記載の包装箱。
【発明の詳細な説明】
【０００１】
【発明の属する技術分野】
本発明は、内部に収納された物品を露出させて陳列することができる包装箱に関する。
【０００２】
【従来の技術】
従来、例えば、図５に示すように、開封時に左側板３２から天蓋板３３と後側板３４側の天フラップ３５とを切除し、更に前側板３６の一部３６ａを天フラップ３７と共に切除することによって、内部に収納された物品（図示せず）を露出させる包装箱３８が知られている。この種の包装箱３８は、物品の出荷の際に該物品を包装して輸送することができるだけでなく販売店等において該物品を露出させて展示することができ、特に、袋包装された菓子等のように自立性のない複数の物品を包装する際に採用される。
【０００３】
ところで、一般に販売店等において該物品を展示する際には、予め物品を露出させた状態に開封した複数の包装箱３８を上下方向に積み上げることが行なわれる。しかし、天蓋板３３、天フラップ３５，３７及び前側板３７の一部を切除して内部の物品を露出させた状態の包装箱３８の上に同じ形状の他の包装箱３８を載置すると、下方の包装箱３８の各側板３２，３４，３６，３９の上縁のみでは上方の包装箱３８を確実に支持することができず、積み上げ状態が不安定となるだけでなく、上方の包装箱３８が下方の包装箱３８の開放された上部からその内部に落ち込む不都合がある。
【０００４】
また、包装箱３８が比較的薄手の板紙によって形成されている場合には、一部が切除されて両側のみが残余する前側板３６の強度が著しく低下するため、上方に積み重ねた他の包装箱３８の荷重によって容易に変形してしまい、包装箱３８を上下に積み上げた状態を維持することができない不都合がある。
【０００５】
【発明が解決しようとする課題】
かかる不都合を解消して、本発明は、物品を露出させた開封状態であっても安定して上下に積み重ねることができる包装箱を提供することを目的とする。
【０００６】
【課題を解決するための手段】
かかる目的を達成するために、本発明は、閉塞された矩形状の底部の周縁に沿って左右方向に互いに対向して起立する左右の側板と前後方向に互いに対向する前後の側板とによって物品が収納される四角筒状の胴部が形成され、前側板の上縁に折目線を介して連設された第１天フラップと後側板の上縁に折目線を介して連設された第２天フラップとを互いに内方に水平に折り曲げ、前記左側板の上縁に折目線を介して連設された天蓋板を水平に折り曲げて胴部の上部を閉塞する包装箱に以下の構成を採用するものである。
【０００７】
即ち、前記天蓋板と前記左側板との境界の折目線は破断可能な破断折目線とされると共に、前記前側板と前記第１天フラップとの境界の折目線は破断可能な破断折目線とされる。前記前側板は、その両側縁から夫々所定距離を存して両側縁に沿って該前側板の上縁から下方に向かって延びる一対の縦折目線と、両縦折目線の略中央部に位置して該前側板の上縁から下方に向かって延びる縦破断線と、該縦破断線の下端からその左右方向に延びて両縦折目線の下端に至る横破断線とを備える。また、前記第２天フラップは、該後側板の上縁から所定距離を存して該上縁に沿って左右方向に延びる横折目線を備える。
【０００８】
そして、前記天蓋板及び前記第１天フラップを夫々前記破断折目線に沿って切除した後、縦破断線及び横破断線に沿って破断して前側板の一部を観音開き状に遊離させることにより前側板の一部を物品を露出可能に開放すると共に、前側板から遊離した一対の遊離片を前記縦折目線を介して内方に鋭角に折り曲げ、各遊離片の先端部を夫々左右の側板の内面に連結して、開放された前側板の両側に縦方向に延びる一対の三角筒状の支柱部を形成する。
【０００９】
更に、前記第２天フラップの後側板側の一部を水平に維持すると共に横折目線を介して前記第２天フラップの先端側を下方に鋭角に折り曲げ、第２天フラップの先端部を後側板の内面に連結して、内方に張り出し且つ後側板の上縁に沿って延びる張出部を形成する。
【００１０】
本発明の包装箱によれば、内部に収納された物品を露出させて展示するとき、先ず前記天蓋板を破断折目線を介して左側板の上縁から切り離す。次いで、該天蓋板を切り離したことによって露出した前記第１天フラップを破断折目線を介して前側板の上縁から切り離す。続いて、前側板を縦破断線及び横破断線に沿って破断して一対の遊離片を形成する。これによって、該包装箱の上部及び前側板の一部が開放される。次いで、前側板から遊離した一対の遊離片を夫々前記縦折目線に沿って包装箱の内方に鋭角に折り曲げ、更に、各遊離片の先端部を夫々左右の側板の内面に連結する。このように、前側板から遊離させた遊離片を折り曲げるだけで、前側板の両側に前記支柱部を形成することができる。一方、前記天蓋板を切り離したことによって露出した前記第２天フラップを横折目線に沿って下方に鋭角に折り曲げ、更に、第２天フラップの先端部を後側板の内面に連結する。このように、第２天フラップを折り曲げるだけで後側板の上縁に沿った張出部を容易に形成することができる。しかもこのとき、前記支柱部は前側板の一部で形成され、前記張出部は第２天フラップによって形成されるので、物品を露出する際に不要となる包装箱の一部を無駄なく利用して前記支柱部及び前記張出部を設けることができる。
【００１１】
そして、このように物品を露出した状態の包装箱を積み上げるときには、上部に積み重ねた包装箱の底部を、一対の前記支柱部の上端と前記張出部の水平な上側面とで確実に支持することができ、上部に積み重ねた包装箱の落ち込みを防止して安定に積み重ねることができる。しかも、前記前側板の両側に前記支柱部が形成されていることによって、上方からの荷重に対する強度を十分に向上させることができ、前記前側板の一部が物品の露出のために開放されていても、上部に積み重ねた包装箱を確実に支えて積み重ね状態を維持することができる。
【００１２】
また、本発明において、各遊離片の先端部を夫々左右の側板の内面に連結するための態様としては、前記前側板に、前記縦破断線と各縦折目線との間において各縦折目線に平行する線上に設けられた一対の他の縦折目線と、各他の縦折目線の折り曲げに伴って横方向に突出する第１突起を形成する略コ字形の切込みとを設けると共に、前記左右の側板に、前記第１突起を係止して各遊離片の先端部を連結する第１切れ目を設けることが挙げられる。同じように、第２天フラップの先端部を後側板の内面に連結するための態様としては、前記第２天フラップに、その先端縁と前記横折目線との間において該横折目線に平行する線上に設けられた他の横折目線と、該他の横折目線の折り曲げに伴って下方に突出する第２突起を形成する略コ字形の切込みとを設けると共に、前記後側板に、前記第２突起を係止して各遊離片の先端部を連結する第２切れ目を設けることが挙げられる。
【００１３】
これによって、各遊離片を夫々左右の側板に連結するときには、他の縦折目線を折り曲げることによって前記第１突起を突出させ、該第１突起を前記第１切れ目に挿入して係止させるだけでよいので、各遊離片と左右の側板とを極めて容易に連結することができる。同じように、他の横折目線を折り曲げることによって前記第２突起を突出させ、該第２突起を前記第２切れ目に挿入して係止させるだけで第２突起を後側板に連結することができる。
【００１４】
【発明の実施の形態】
本発明の一実施形態を図面に基づいて説明する。図１は本実施形態の包装箱の外観を示す説明的斜視図、図２は本実施形態の包装箱の展開図、図３は開封作業の一部を示す説明図、図４は展示状態とした包装箱の説明的斜視図である。
【００１５】
本実施形態の包装箱１は、図１に示すように、直方体状に形成され、内部に例えば袋包装された菓子等のように自立性のない複数の物品（図示しない）が収納される。この包装箱１は、図２に示すように、紙製板材から大略矩形状に打ち抜かれた板紙２を組み立てることによって形成されている。該板紙２は、図中左から順に、左側板３、前側板４、右側板５、及び後側板６が各折目線ａ，ｂ，ｃを介して交互に連設されている。左側板３の上縁には、破断可能な折目線である破断折目線ｄを介して天蓋板７が連設さている。前側板４の上縁には、破断可能な折目線である破断折目線ｅを介して第１天フラップ８が連設さている。後側板６の上縁には、折目線ｆを介して第２天フラップ９が連設さている。天蓋板７の先端縁には折目線ｇを介して差込み片１０が設けられており、左側板３の図中左側縁には折目線ｈを介して接着片１１が連設されている。更に、左側板３の下縁と右側板５の下縁とには、夫々折目線ｉ，ｊを介して一対の第１底フラップ１２，１３が連設さており、前側板４の下縁と後側板６の下縁とには、夫々折目線ｋ，ｍを介して一対の第２底フラップ１４，１５が連設さている。各第１底フラップ１２，１３は各第２底フラップ１４，１５側の一部に折目線ｎ，ｏを介して接着部１６，１７を備えている。
【００１６】
また、前側板４には、その両側縁から夫々所定距離を存して両側縁に沿って上縁から下方に向かって延びる一対の第１縦折目線ｐ，ｑが形成されている。両第１縦折目線ｐ，ｑの略中央位置には前側板４の上縁から下方に向かって延びる縦破断線Ａが形成されており、縦破断線Ａの下端からその左右方向に延びて両第１縦折目線ｐ，ｑの下端に至る横破断線Ｂが形成されている。更に、縦破断線Ａと各第１縦折目線ｐ，ｑとの間には、各第１縦折目線ｐ，ｑに平行する一対の第２縦折目線ｒ，ｓが形成されており、各第２縦折目線ｒ，ｓの一部の不連続部分には略コ字形の切込みＤ，Ｅが形成されている。この切込みＤ，Ｅは、後述するように各第２縦折目線ｒ，ｓの折り曲げに伴って横方向に突出する第１突起１８，１９を形成するものである。
【００１７】
また、第２天フラップ９には、後側板６の上縁から所定距離を存して左右方向に延びる第１横折目線ｔが形成されており、第２天フラップ９の先端縁と第１横折目線ｔとの間には、第１横折目線ｔに平行する第２横折目線ｕが形成されている。第２横折目線ｕの一部の不連続部分には略コ字形の切込みＦが形成されている。この切込みＦは、後述するように第２横折目線ｕの折り曲げに伴って下方に突出する第２突起２０を形成するものである。
【００１８】
更に、左側板３と右側板５とには、各第１突起１８，１９が差込み可能な第１切れ目２１，２２が形成されており、後側板６には、第２突起２０が差込み可能な第２切れ目２３が形成されている。
【００１９】
以上の構成からなる図２示の板紙２は、左側板３、前側板４、右側板５、及び後側板６を各折目線ａ，ｂ，ｃを介して夫々直角に折り曲げて接着片１１を後側板６に接着することによって図１に示す四角筒状の胴部２４を形成する。一方、図２に示す各第１底フラップ１２，１３及び各第２底フラップ１４，１５は、図示しないが、夫々折目線ｉ，ｊ，ｋ，ｍを介して胴部２４の内方に直角に折り曲げられて四つ巴状に重合されることによって胴部２４の下方を閉塞する。このとき、各第１底フラップ１２，１３が、接着部１６，１７を介して各第２底フラップ１４，１５の一部に接着されることによって所謂ボトムロック式の底部２５が形成される。
【００２０】
そして、胴部２４の上方から物品（図示しない）を投入し、第１天フラップ８と第２天フラップ９とを破断折目線ｅ及び折目線ｆを介して水平に折り曲げた後、天蓋板７を破断折目線ｄを介して水平に折り曲げて、図１に示すように、胴部２４の上方を閉蓋する。本実施形態の包装箱１はこのような包装状態として保管や輸送が行なわれる。
【００２１】
次に、本実施形態の包装箱１における物品の展示に際しての開封作業を説明する。先ず、天蓋板７を引き上げて開封した後、図３に示すように、天蓋板７を破断折目線ｄを介して切除すると共に、第１天フラップ８を破断折目線ｅを介して切除する。これにより、胴部２４の上部に第２天フラップ９が露出し、前側板４の上縁が切断端縁となって露出する。
【００２２】
次いで、前側板４の縦破断線Ａ及び横破断線Ｂを破断して前側板４の一部を遊離させる。こうして形成された一対の遊離片２６，２７を、図４に仮想線示するように、第１縦折目線ｐ，ｑを介して胴部２４の内方に観音開き状に折り曲げる。続いて、遊離片２６，２７を、第１縦折目線ｐ，ｑを介して更に鋭角に折り曲げると共に、第２縦折目線ｒ，ｓを介して遊離片２６，２７の先端部を第１縦折目線ｐ，ｑと逆方向に折り曲げる。これによって、遊離片２６，２７に第１突起１８，１９が形成される。そして、図４に示すように、左側板３側の遊離片２６に形成された第１突起１８を、左側板３に形成された第１切れ目２１に差し込んで係止する。同じように、右側板５側の遊離片２７に形成された第１突起１９を、右側板５に形成された第１切れ目２２に差し込んで係止する。これにより、左右の側板３，５に各遊離片２６，２７が連結され、前側板４の両側縁に沿って上下方向に延びる三角筒状の一対の支柱部２８，２９が形成される。
【００２３】
一方、図４に示すように、第２天フラップ９の一部（後側板６側に位置する基端部３０）を水平に維持して、第１横折目線ｔを介して第２天フラップ９の他部（先端側）を下方に折り曲げる。続いて、第２横折目線ｕを介して第２天フラップ９の先端部を第１横折目線ｔと逆方向に折り曲げる。これによって、第２天フラップ９に第２突起２０が形成される。そして、第２突起２０を後側板６に形成された第２切れ目２３に差し込んで係止する。これにより、後側板６に第２天フラップ９が連結され、後側板６の上縁に沿って延びる三角筒状の張出部３１が形成される。本実施形態の包装箱１はこのよにして内部に収納された物品が露出され、物品の販売等に際しての展示が行なわれる。
【００２４】
そして、本実施形態の包装箱１によれば、図４に示すように、前側板４の両側に沿って支柱部２８，２９が形成され、後側板６の上縁に沿って張出部３１が形成されることで、同形の他の包装箱１を上部に安定して積み重ねることができ、上部の包装箱１が下部の包装箱１の胴部２４内に落ち込む事態を確実に回避することができる。更に、前側板４が内部の物品を良好に露出させるべく比較的大きく開放されても、一対の支柱部２８，２９によって前側板４に十分な強度を付与することができ、上部に積み重ねた包装箱１の荷重による前側板４の変形や折れ曲がりを防止して、複数の包装箱１の積み重ね状態を確実に維持することができる。
【００２５】
なお、本実施形態の包装箱１においては、ボトムロック式の底部２５を採用したが本発明における底部の構造はこれに限るものではなく、例えば、図示しないが、天蓋板７と同様な底蓋板を設けて胴部２４の下方を閉蓋してもよい。
【００２６】
また、本実施形態の包装箱１においては、支柱部２８，２９及び張出部３１を形成する場合に、図４に示すように、第１突起１８，１９と第１切れ目２１，２２との係合によって遊離片２６，２７と左右の側板３，５とを連結させ、第２突起２０と第２切れ目２３との係合によって第２天フラップ９と後側板６とを連結させた態様を挙げたが、これに限るものではなく、例えば、図示しないが遊離片２６，２７の先端部の内面及び第２天フラップ９の先端部の内面に両面接着テープを予め設けておいてもよい。これにより、遊離片２６，２７と左右の側板３，５とを両面接着テープを介して貼合して連結し、第２天フラップ９と後側板６とを両面接着テープを介して貼合して連結して、支柱部２８，２９及び張出部３１を容易に形成することができる。
【図面の簡単な説明】
【図１】本発明の一実施形態の包装箱の外観を示す説明的斜視図。
【図２】本実施形態の包装箱の展開図。
【図３】開封作業の一部を示す説明図。
【図４】展示状態とした包装箱の説明的斜視図。
【図５】従来の包装箱を示す説明的斜視図。
【符号の説明】
１…包装箱、３…左側板、４…前側板、５…右側板、６…後側板、７…天蓋板、８…第１天フラップ、９…第２天フラップ、１８，１９…第１突起、２０…第２突起、２１，２２…第１切れ目、２３…第２切れ目、２４…胴部、２５…底部、２８，２９…支柱部、３１…張出部、Ａ…縦破断線、Ｂ…横破断線、Ｄ，Ｅ，Ｆ…切込み、ｄ，ｅ…破断折目線、ｐ，ｑ…第１縦折目線（縦折目線）、ｒ，ｓ…第２縦折目線（他の縦折目線）、ｔ…第１横折目線（横折目線）、ｕ…第２横折目線（他の横折目線）。
【図１】
0003962578.tif 000002
【図２】
0003962578.tif 000003
【図３】
0003962578.tif 000004
【図４】
0003962578.tif 000005
【図５】
0003962578.tif 000006